(57)【要約】【課題】弾性を有する材料の反発作用を用いた機能改善用ミント手袋は皆無であったので５指機能改善用ミント手袋を提供する。【解決手段】弾性を有する材料を用いて構成されている機能改善用ミント手袋は、ミント手袋に指を容易に装着できるよう、手の平側上部から手首の装着手首部まで、開閉なファスナーを設けられており、手の５指をミント手袋の装着部に装着し、上部方向より前記手の平側上部から手首の装着手首部まで、ファスナーを閉じることにより、ミント手袋は手首に密着した状態に成り、そして、前記弾性を有する材料の作用により、指を手の平側内側に拳状に折り曲げた時、指の関節や筋肉に圧力が掛かり、かつ、力を抜くと同時に手を開いた状態になる。前記動作を繰り返すことにより、手の平、指の関節及び筋肉等々の向上に貢献する、また、開口部設けられている手袋の場合も同様の機能を有している５指機能改善用ミント手袋である。【選択図】  図１
2019031759.tif 000002
【特許請求の範囲】
【請求項１】
伸縮自在な天然繊維又は人造繊維等で形成されている手袋１には、親指３１の装着部８と、他の４本の人差し指３２、中指３３、薬指３４と小指３５の二股に分かれているミント手袋であり、かつ、前記手袋１の手の平側３の上部２３より下部方向手首部２９まで開閉自在なファスナー２１と、前記手袋の甲側５表面全体に前記甲側５表面全体と同形状の弾性を有するシート材１５を、溶着又は接着剤等で張り付けて設けている、また、前記シート材の代りに前記甲側５表面全体に弾性を有るコーテイング材１９を用いてコーテイング１９して設けられている、またさらに、上記手袋２の手の平側４の中央部に開口部７設け、そして、前記開口部７上部２４から下部２６方向の手首部３０まで開閉自在にファスナー２１を設けており、さらに、甲側６表面全体には、前記と同様に甲側６表面全体に同形状の弾性を有するシート材を用いて、溶着又は接着剤等で張り付けて設けている、また、さらに、前記甲側６表面全体に弾性を有る材料を用いてコーテイング２０して設けられていることを特徴とする五指機能改善用ミント手袋。
【請求項２】
上記記載の手の平側４に開口部７を設けられている手袋２の場合は、指先に重軽度の障害の有る人は、前記手袋２装着時、前記開口部７を設けることにより、
各指先を良く確認して装着部８，９，１０，１１，１２に容易に装着できるよう、前記開口部７を設けられていることを特徴とする請求項１記載の５指機能改善用ミント手袋。
【請求項３】
上記ミント手袋甲側３，４表面全体に同形状の弾性を有するシート材１５，１６を溶着又は接着剤等で張り付け、又は、コーテイン１９，２０して設けられおり、また、前記弾性を有する材料１５，１６、１９，２０等の作用を最大限に発揮するよう、前記ミント手袋甲側５，６表面全体に可能な限りフラット状に設けられていることを特徴とする請求項１又は２記載の５指機能改善用ミント手袋。
【請求項４】
上記ミント手袋１，２のファスナー２１，２２を開放状態にして、親指３１、人差し指３２、中指、３３薬指３４と小指３５の５指を装着部８，９，１０．１１．１２に装着して前記ファスナー２１，２２を閉じ、前記５指を手の平の平側３，４、の内側に拳状４１状に折り曲げた時に、上記手袋甲側５，６表面全体にフラット状に設けられている弾性を有する材料の反発作用により、前記５指のＤＩＰ関節３６、ＰＩＰ関節３７，ＩＰ関節３８、ＭＰ関節３９、及びＣＭ関節４０各関節及び筋肉に負担が掛かるよう設けられていることを特徴とする請求項１，２又は３記載の５指機能改善用ミント手袋。
【請求項５】
上記の通りミント手袋の手の平側３，４の内側に５指を拳状４１に折り曲げた状態から、力を抜くと同時に、弾性を有する材料の反発作用により、上記５指は開いた状態成るよう設けられていることを特徴とする請求項１，２，３又は４記載の５指機能改善用ミント手袋。
【請求項６】
上記記載の弾性を有する材用１５，１５，１９，２０の反発作用の強弱は、手袋１，２の甲側５，６表面全体に設けられている弾性を有する材料１５，１６，１９を選択することにより可能であることを特徴とする請求項１，２，３，４は５記載の５指機能改善用ミント手袋。
【請求項７】
そして、手に軽度の障害が有る場合でも、手袋に開閉自在なファスナーを設けることにより、第三者の介護を必要とせず容易に使用できることを特徴とする請求項１，２，３，４，５又は６記載の５指機能改善用ミント手袋。
【請求項８】
ミント手袋１，２を装着して拳状４１に折り曲げた時、前記ミント手袋１，２の甲側５，６に設けられている弾性を有する材料１５，１６，１９，２０の反発作用の効果を生かすために、手首部２９，３０の周囲を締め付ける帯状１７のリストバンド１８を設けていることを特徴とする請求項１，２，３，４，５，６又は７記載の５指機能改善用手袋。
【発明の詳細な説明】
【技術分野】
【０００１】
本発名は、５機能改善用ミント手袋に関する。
【背景技術】
【０００２】
従来の手袋の機能は、作業用、医療用、野球用、ゴルフ用等々多種多様あるが、５指機能改善用ミント手袋は皆無であった。
【０００３】
また、手袋甲側表面全体に弾性を有する材料を設け、そして、手袋の手の平側に開閉自在なファスナーを設けられている５指機能改善用ミント手袋も皆無で有った。
【０００４】
また、手袋の装着部に装着し易くなるよう手の平側に開口部を設けられたミント手袋は皆無であった。
【発明の開示】
【発明が解決しようとする課題】
【０００５】
特に従来の介護用手袋で、医療機関等で用いられている手袋の場合は、特に重度の患者の治療に使用される種々の医療等の器具を患者自ら勝手に触れたり、取り外したり出来ないようにすることが主の目的であったが、本発明の機能改善手袋の場合は、健常人は勿論、既に現在、親指,人差し指,中指,薬指,小指等の,ＤＩＰ,ＰＩＰ,ＩＰ,ＭＰ５関節等に障害の有る場合でも、本機能改善用ミント手袋を用いることで課題を解決しようとするものである。
【課題を解決するための手段】
【０００６】
伸縮自在な天然繊維又は人造繊維等で形成されている手袋１には、親指３１の装着部８と、他の４本の人差し指３２、中指３３、薬指３４と小指３５の二股に分かれているミント手袋であり、かつ、前記手袋１の手の平側３の上部２３より下部方向手首部２９まで開閉自在なファスナー２１と、前記手袋の甲側５表面全体に前記甲側５表面全体と同形状の弾性を有するシート材１５を、溶着又は接着剤等で張り付けて設けている、また、前記シート材の代りに前記甲側５表面全体に弾性を有るコーテイング材１９を用いてコーテイング１９して設けられている。
【０００７】
またさらに、上記手袋２の手の平側４の中央部に開口部７設け、そして、前記開口部７上部２４から下部２６方向の手首部３０まで開閉自在にファスナー２１を設けており、さらに、甲側６表面全体には、前記と同様に甲側６表面全体に同形状の弾性を有するシート材を用いて、溶着又は接着剤等で張り付けて設けている、また、さらに、前記甲側６表面全体に弾性を有る材料を用いてコーテイング２０して設けられていることを特徴とする五指機能改善用ミント手袋である。
【０００８】
上記記載の手の平側４に開口部７を設けられている手袋２の場合は、指先に重軽度の障害の有る人は、前記手袋２装着時、前記開口部７を設けることにより、
各指先を良く確認して装着部８，９，１０，１１，１２に容易に装着できるよう、前記開口部７を設けられていることを特徴とする５指機能改善用ミント手袋である。
【０００９】
上記ミント手袋甲側３，４表面全体に同形状の弾性を有するシート材１５，１６を溶着又は接着剤等で張り付け、又は、コーテイン１９，２０して設けられおり、また、前記弾性を有する材料１５，１６、１９，２０等の作用を最大限に発揮するよう、前記ミント手袋甲側５，６表面全体に可能な限りフラット状に設けられていることを特徴とする５指機能改善用ミント手袋である。
【００１０】
上記ミント手袋１，２のファスナー２１，２２を開放状態にして、親指３１、人差し指３２、中指、３３薬指３４と小指３５の５指を装着部８，９，１０．１１．１２に装着して前記ファスナー２１，２２を閉じ、前記５指を手の平の平側３，４、の内側に拳状４１状に折り曲げた時に、上記手袋甲側５，６表面全体にフラット状に設けられている弾性を有する材料の反発作用により、前記５指のＤＩＰ関節３６、ＰＩＰ関節３７，ＩＰ関節３８、ＭＰ関節３９、及びＣＭ関節４０各関節及び筋肉に負担が掛かるよう設けられていることを特徴とする５指機能改善用ミント手袋である。
【００１１】
上記の通りミント手袋の手の平側３，４の内側に５指を拳状４１に折り曲げた状態から、力を抜くと同時に、弾性を有する材料の反発作用により、上記５指は開いた状態成るよう設けられていることを特徴とする５指機能改善用ミント手袋である。
【００１２】
上記記載の弾性を有する材用１５，１５，１９，２０の反発作用の強弱は、手袋１，２の甲側５，６表面全体に設けられている弾性を有する材料１５，１６，１９を選択することにより可能であることを特徴とする５指機能改善用ミント手袋である。
【００１３】
そして、手に軽度の障害が有る場合でも、手袋に開閉自在なファスナーを設けることにより、第三者の介護を必要とせず容易に使用できることを特徴とする５指機能改善用ミント手袋である。
【００１４】
ミント手袋１，２を装着して拳状４１に折り曲げた時、前記ミント手袋１，２の甲側５，６に設けられている弾性を有する材料１５，１６，１９，２０の反発作用の効果を生かすために、手首部２９，３０の周囲に締め付ける帯状１７のリストバンド１８を設けていることを特徴とする５指機能改善用手袋である。
【００１５】
また、限定するものではないが、上記手袋の弾性を有する材料を甲側表面全体にフラット状に設けることにより、手の平側に５指を拳状に折り曲げた時、前記弾性を有する材料の反発作用がより一層増大するので、フラット状に設けることが好ましい。
【００１６】
上記屈伸運動を繰り返すことにより、上記５指の関節は勿論のこと、手全体の筋肉も同時に鍛えることが出来ることを特徴とする５指機能改善用ミント手袋である。
【００１７】
勿論、本ミント手袋を用いる場合でも、用いる人に適宜の反発作用のミント手袋を提供するには、弾性を有するシート材の選択することにより可能であり、また、コーテイングして設けられている場合も同様であり、用いる材料等は適宜な材料を用いれば良く限定するものではない。
【００１８】
手や指先は脳内に通じる領域が非常に広く、指先を動かすことで脳の広範囲の活性化に大いに貢献可能な５指機能改善用ミント手袋である。
【００１９】
また、厚生労働省研究班の調査では、６５歳以上の高齢者で認知症を患っている方は、推定１５％、２０１２年時点では４６２万人は明らかです。
【００２０】
さらに、軽度認知障害者を合わせると約１３００万人ですので６５歳以上の３人に一人は認知症か、その予備軍に成っていると言うことで有ります。
【００２１】
本発明の５指手指機能改善用ミント手袋の場合は、例えば脚が不自由の人の場合も、手袋にファスナーを設けられていることにより、何時でも、何処でも気軽に用いることが可能である。
【００２２】
さらに、両手の５指関節等々のリハビリ中の人々の場合は、通称グー、チョキ、パーと言われるグーパー運動を連続して繰り返すことにより、前記５指関節の改善に効果が有ると言われております。
【００２３】
またさらに、指に障害等があり、手の平内側に折り曲げることが困難な指の場合は、その指の装着部をカットすることにより、他の指は装着部に装着可能である。
【００２４】
上記記載の改善運動をより効果的にする手段として、本機能改善用ミント手袋を用いることにより、５指を手の平側内側に拳状に折り曲げた時、甲側に設けられている弾性を有する材料の反発作用により、手の内側に拳状に折り曲げた時に、手の平及び５指全体に圧力が加わり、かつ、手を広げると同時に５指全体が手を開いた状態になる。この一連の動作を繰り返すことにより５指の関節及び筋肉等の機能改善に大いに効果が期待可能な５指機能改善用ミント手袋である。
【００２５】
また、手袋の甲側表面全体にコーテイングする材料には、天然ゴム、塩化ビニール、ナイロン、ポリエチレン、ニトリルゴム、ポリエステルシリコン等々多種あるが、適宜な素材を用いればよく限定するものではない。
【００２６】
そして、手袋を形成する材料等は天然繊維、人造繊維等々種々あるが、ニット編、ゴム編、パール編等あるが、左右に伸縮性を有するニット編が好ましいが弾力性のある素材で通気性が良く、耐久性を有する材料が好ましいが、限定するものではない。
【発明の効果】
【００２７】
昔から、手の平等々の血行を改善に効果が期待できるとして、クルミ等を手の平側で握って揉む代わりとして、本発明の５指機能改善用ミント手袋を使用することにより、前記血行等々改善に効果が期待できる５指機能改善用ミント手袋である。
【００２８】
従来は、５指の関節機能改善用の器具は多種あるが、価格も高価で有り、かつ、使用方法にも手間が掛かるが、本発明の手指機能改善用ミント手袋の場合は、使用方法も簡単であり、価格も安価で提供可能である。
【００２９】
また、単に従来の手袋等を用いず、ただ、指の５指関節等々のリハビリを、グー、チョキ、パーの、グー、パーを繰り返すだけの機能改善方法であつたが、本機能改善用ミント手袋の場合は、手袋の装着部に５指を装着して、グー、パーと一連の動作を繰り返すだけで、指の５指関節等々のリハビリ効果を大いに効果を期待できる手指機能改善用ミント手袋である。
【００３０】
勿論健常人の場合でも機能改善用手袋を使用することにより、現状を維持することが可能な手指機能改善用ミント手袋である。
【発明を実施するための最良の形態】
【００３１】
次に、本発明の実施形態１及び２について図面を参照しながら説明するが、本発明はこれに限定されるものではない。
【００３２】
また、勿論手袋は左右一対であるが、実施例の各図面は右手の図面である。
【００３３】
以下本発明の５指機能改善用手袋の実施例１に付いて、図１から図７に基づいて説明する。
【００３４】
図１は、伸縮自在な天然繊維又は人造繊維等で形成されている手袋１の手の平側３上部には、親指３１の装着部と、人差し指３２、中指３３、薬指３４、小指の４本の指の二股の装着部８，９，１０，１１，１２が分かれて設けられており、そして、前記手の平側３の上部２３より下部２５方向の手首部２９まで開閉自在なファスナー２１を示している。また、２７は、ミント手袋１を装着した時の手首を示している。そして、Ａ−Ａ’は、図７の端面図の方向を示している。
【００３５】
図２は、伸縮自在な天然繊維又は人造繊維等で形成されているミント手袋１の手の平側上部２３には、親指３１装着部と、人差し指３２、中指３３、薬指３４と小指３５とに分かれた装着部８，９，１０，１１，１２を示しており、そして、前記手の平側３の上部２３より下部２５方向の手首部２９まで、開閉自在なファスナー２１を示している。また、５は甲側であり、２１のファスナー開いた状態を示している。
【００３６】
図３は, 伸縮自在な天然繊維又は人造繊維等で形成されているミント手袋１の手の平側上部には、親指３１装着部と、人差し指３２、中指３３、薬指３４と小指３５の二股に分かれた装着部８，９，１０，１１，１２を示しており、５は、手の平側背面の甲側であり、１５、１９は、弾性を有するシート材を溶着又は張り付け、又は、コーテイングされた状態を示しており、２９は手首部であり、また、Ｂ−Ｂ’は、図４の側面図方向を示している、手袋の甲側５表面の弾性有する材料１５，１６を示す平面図である。
【００３７】
図４は、図３のＢ−Ｂ’方向を示す側面図であり、親指３１の装着部８と、人差し指３２、中指３３、薬指３４と小指３５用の手袋の装着部９，１０，１１，１２を示す手の平側３背面の甲側５であり、１５、１９は、弾性を有する材料のシート材又は、コーテイングされた状態を示しており、２７は手首、２９は手首部である。
【００３８】
図５は, 親指３１、人差し指３２、中指３３、薬指３４と小指３５及び、前記５指の関節、３６はＤＩＰ関節，３７はＰＩＰ関節，３８はＩＰ関節，３９はＭＰ関節及び４０のＣＭ関節を示している手の骨格を示す平面図である。
【００３９】
図６は、図２に示されているミント手袋１の親指３１、人差し指３２、中指３３、薬指３４、小指３５に分かれている装着部８、９，１０，１１，１２に、前記５指を装着して、ファスナー２１を閉じて手の平側３内側に拳状４１に折り曲げた状態を示す正面図であり、２７は手首、２９は手首部である。
【００４０】
図７は, 伸縮自在な天然繊維又は人造繊維等で形成されているミント手袋１であり、２１は、手の平側上部より下部方向手首部まで開閉自在なファスナーであり、５は手袋の甲側表面であり、さらに、１５及び１９は弾性を有するシート材又は、前記甲側表面に前記弾性を有する材料を用いてコーテイングした状態を示している図１のＡ−Ａ’方向を示す端面図である。
【００４１】
以下本発明の実施例２の形態を図８から図１０に基づいて説明する。
図８は、ミント手袋２の手の平側４の中央部に手袋２装着時、親指３１、人差し指３２、中指３３、薬指３４と小指３５の各指を装着部８，９，１０，１１，１２に見ながら容易に装着できるよう開口部７を設けられている。６は甲側であり、２４は、ファスナー２２の上部であり、２６は手首部３０方向の下部２６である、手の平側４の開口部７とファスナー２２を示す平面図である。
【００４２】
図９は、図８は、ミント手袋２の手の平側４の中央部にミント手袋２に装着時、親指３１、人差し指３２、中指３３、薬指３４と小指３５を目で確認しながら、各指を装着部８，９，１０，１１，１２に容易に装着できる開口部７と、開口部７上部２４より手首部３０の下部２６に開閉自在ななはファスナー２２を設けられている、そして、２８は手首である手の平側４の開口部７と、ファスナー２２を開いた状態を示す平面図である。
【００４３】
図１０は、伸縮自在な天然繊維又は人造繊維等で形成されているミント手袋２であり７は、手の平側の中央部に設けられている開口部である。そして、５は手袋２の甲側６表面であり、さらに、１５及び１９は弾性を有するシート材又は、前記甲側６表面に前記弾性を有する材料を用いてコーテイングした状態を示している、図９のＣ−Ｃ’方向を示す端面図である。
【００４４】
図１１は、手袋１，２を装着した時に弾性を有する作用を最大限に発揮できるよう、手袋１，２の手首部２９，３０に帯状１７のバンド１８用の開口部７Ａと、帯状１７のバンド１８の先端部にマジックテープ（登録商標）４２を設けたバンド１８の他の一方を固着して設けられている、そして、また、手首部２９，３０の一方にもマジックテープ（登録商標）４３を設けられていることにより、前記手袋１，２装着時マジックテープ（登録商標）４２を先端部に設けられている帯状１７のバンド１８を、前記開口部７Ａを介して前記バンド１８の先端部を、前記手首部２９，３０に設けられている前記マジックテープ（登録商標）４３に適宜なきつさの範囲で装着できる。そして、２１，２２はファスナー、２７，２８は手首である。
【産業上の利用可能性】
【００４５】
従来の手袋と異なり、健常の人々は勿論のこと、手の握力低下の人々に安価で提供できる５指機能改善手袋であり、医療機関等は勿論のこと、自宅療養中や、歩行困難な人々達の場合でも、一人でも気軽に用いることが出来よう、ファスナーを設けられえている、その効果として、５指関節、筋肉等々の機能に刺激を与える共に、脳の活性化にも大いに貢献することにより認知症や脳梗塞等々に貢献可能な５指機能改善ミント手袋である。
【図面の簡単な説明】
【００４６】
【図１】図１は、ミント手袋の手の平側にファスナーを設けた平面図。
【図２】図２は,図１のファスナーを開いた状態を示す平面図。
【図３】図３は,ミント手袋の甲側表面の弾性有する材料を示す平面図。
【図４】図４は、図４のＢ−Ｂ’方向を示す側面図。
【図５】図５は,手の骨格を示す平面図。
【図６】図２のミント手袋を装着して拳状に指を握った状態を示す正面図。
【図７】図７は,図１のＡ−Ａ’方向を示す端面図。
【図８】図８は、手の平側の開口部とファスナーを示す平面図
【図９】図９は、図８のファスナーを開いた状態を示す平面図。
【図１０】図１０は、図８のＣ−Ｃ’方向を示す端面図。
【図１１】図１１は、手首部のリストバンドを示す平面図。
【符号の説明】
【００４７】
ミント手袋        １、２
手の平側          ３，４
甲側              ５、６
開口部            ７  ７Ａ
装着部            ８，９，１０，１１，１２，１３，１４
シート材          １５，１６
帯状              １７
リストバンド      １８
コーテイング      １９，２０
ファスナー        ２１，２２
上部              ２３，２４
下部              ２５，２６
手首              ２７，２８
手首部            ２９，３０
親指              ３１
人差し指          ３２
中指              ３３
薬指              ３４
小指              ３５
ＤＩＰ関節        ３６
ＰＩＰ関節        ３７
ＩＰ関節          ３８
ＭＰ関節          ３９
ＣＭ関節          ４０   
拳                ４１
マジックテープ（登録商標）    ４２、４３
方向              Ａ−Ａ’ , Ｂ−Ｂ’  Ｃ−Ｃ’
【図１】
2019031759.tif 000003
【図２】
2019031759.tif 000004
【図３】
2019031759.tif 000005
【図４】
2019031759.tif 000006
【図５】
2019031759.tif 000007
【図６】
2019031759.tif 000008
【図７】
2019031759.tif 000009
【図８】
2019031759.tif 000010
【図９】
2019031759.tif 000011
【図１０】
2019031759.tif 000012
【図１１】
2019031759.tif 000013
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
伸縮自在な天然繊維又は人造繊維で形成されている手袋には、親指の装着部と、他の４本の人差し指、中指、薬指と小指の二股に分かれているミトン手袋であり、かつ、前記手袋の手の平側の上部より下部方向手首部まで開閉自在なファスナーと、前記手袋の甲側の表面全体に前記甲側の表面全体と同形状の弾性を有するシート材を、溶着又は接着剤で張り付けて設けている、また、前記シート材の代りに前記甲側の表面全体に弾性を有るコーテイング材を用いてコーテイングして設けられている、またさらに、上記手袋の手の平側の中央部に開口部を設け、そして、前記開口部の上部から下部方向の手首部まで開閉自在にファスナーを設けており、さらに、甲側の表面全体には、甲側の表面全体に同形状の弾性を有するシート材を用いて、溶着又は接着剤で張り付けて設けている、また、さらに、前記甲側の表面全体に弾性を有る材料を用いてコーテイングして設けられていることを特徴とする五指機能改善用ミトン手袋。
【請求項２】
上記記載の手の平側に開口部を設けられている手袋の場合は、指先に障害の有る人は、前記手袋装着時、前記開口部を設けることにより、装着時、開口部を介して各指先を確認して装着部に装着できるよう、前記開口部を設けられてい
ることを特徴とする請求項１記載の５指機能改善用ミトン手袋。
【請求項３】
上記ミトン手袋甲側表面全体に同形状の弾性を有するシート材を溶着又は接着剤で張り付け、又は、コーテイングして設けられおり、また、前記弾性を有する材料の作用を発揮するよう、前記ミトン手袋甲側表面全体にフラットに設けられていることを特徴とする請求項１又は２記載の５指機能改善用ミトン手袋。
【請求項４】
上記ミトン手袋のファスナーを開放状態にして、親指、人差し指、中指、薬指と小指の５指を装着部に装着して前記ファスナーを閉じ、前記５指を手の平の平側の内側に拳状に折り曲げた時に、上記手袋甲側表面全体にフラットに設けられている弾性を有する材料の反発作用により、前記５指のＤＩＰ関節、ＰＩＰ関節，ＩＰ関節、ＭＰ関節、及びＣＭ関節各関節及び筋肉に負担が掛かるよう設けられていることを特徴とする請求項１，２又は３記載の５指機能改善用ミトン手袋。
【請求項５】
ミトン手袋の手の平側の内側に５指を拳状に折り曲げた状態から、力を抜くと同時に、弾性を有する材料の反発作用により、上記５指は開いた状態に成るよう設けられていることを特徴とする請求項４記載の５指機能改善用ミトン手袋。
【請求項６】
上記記載の弾性を有する材用の反発作用の強弱は、手袋の甲側の表面全体に設けられている弾性を有する材料を選択することにより可能であることを特徴とする請求項１，２，３，４は５記載の５指機能改善用ミトン手袋。
【請求項７】
そして、手に障害が有る場合でも、手袋に開閉自在なファスナーを設けることにより、第三者の介護を必要とせず容易に使用できることを特徴とする請求項１，２，３，４，５又は６記載の５指機能改善用ミトン手袋。
【請求項８】
ミトン手袋を装着して拳状に折り曲げた時、前記ミトン手袋の甲側に設けられている弾性を有する材料の反発作用の効果を生かすために、手首部の周囲を締め付ける帯状のリストバンドを設けていることを特徴とする請求項１，２，３，４，５，６又は７記載の５指機能改善用ミトン手袋。